(57)【特許請求の範囲】
【請求項１】
アンテナを介して音声通信とデータ通信とが同時に可能なマルチコール機能を有する携帯電話機において、
前記アンテナの伝送効率を低下させる障害物の検出を行う検出手段と、
前記音声通信中のデータ通信要求の入力を判定する第１の判定手段と、
前記データ通信中の音声通信要求の入力を判定する第２の判定手段と、
前記第１の判定手段により前記音声通信中のデータ通信要求の入力が判定されると、前記検出手段の検出結果に応じて前記データ通信の可否を制御し、前記第２の判定手段により前記データ通信中の音声通信要求の入力が判定されると、前記検出手段の検出結果に応じて前記音声通信の可否を制御する制御手段と
を備えたことを特徴とする携帯電話機。
【請求項２】
請求項１において、
イヤホンマイクを備え、
前記検出手段は、前記イヤホンマイクの携帯電話機への無装着を前記障害物として検出することを特徴とする携帯電話機。
【請求項３】
請求項１において、
音声マイクを備え、
前記検出手段は、前記音声マイクからの音声信号のレベルが所定のしきい値を越えた場合に前記障害物として検出することを特徴とする携帯電話機。
【請求項４】
請求項１において、
携帯電話機を利用する利用者の人体部分とこの携帯電話機間の距離を検出する距離センサを備え、
前記検出手段は、前記距離センサにより検出された距離が所定値以下の場合に前記障害物として検出することを特徴とする携帯電話機。
【請求項５】
アンテナを介して音声通信とデータ通信とが同時に可能なマルチコール機能を有する携帯電話機において、
前記アンテナの伝送効率を低下させる障害物の検出を行う第１のステップと、
前記音声通信中のデータ通信要求の入力を判定する第２のステップと、
前記データ通信中の音声通信要求の入力を判定する第３のステップと、
前記第２のステップの処理により前記音声通信中のデータ通信要求の入力が判定されると、前記第１のステップの処理に基づく検出結果に応じて前記データ通信の可否を制御し、前記第３のステップの処理により前記データ通信中の音声通信要求の入力が判定されると、前記第１のステップの処理に基づく検出結果に応じて前記音声通信の可否を制御する第４のステップと
を有することを特徴とする携帯電話機のデータ通信制御方法。
【請求項６】
請求項５において、
イヤホンマイクを備え、
前記第１のステップにおける処理は、前記イヤホンマイクの携帯電話機への無装着を前記障害物として検出する第５のステップを含むことを特徴とする携帯電話機のデータ通信制御方法。
【請求項７】
請求項５において、
音声マイクを備え、
前記第１のステップにおける処理は、前記音声マイクからの音声信号のレベルが所定のしきい値を越えた場合に前記障害物として検出する第６のステップを含むことを特徴とする携帯電話機のデータ通信制御方法。
【請求項８】
請求項５において、
携帯電話機を利用する利用者の人体部分とこの携帯電話機間の距離を検出する距離センサを備え、
前記第１のステップにおける処理はは、前記距離センサにより検出された距離が所定値以下の場合に前記障害物として検出する第７のステップを含むことを特徴とする携帯電話機のデータ通信制御方法。
【発明の詳細な説明】
【０００１】
【発明の属する技術分野】
本発明は、音声通信とデータ通信とを同時に行うことが可能な携帯電話機及び携帯電話機のデータ通信制御方法に関する。
【０００２】
【従来の技術】
一般に、携帯電話機では人間の頭部などの障害物がアンテナ近傍に存在する場合はアンテナの伝送効率が低下する。このため、音声通信とデータ通信とを同時に行うことが可能なこの種の携帯電話機においては、特に高速データ通信時にはアンテナの伝送効率の低下に起因して通信品質が劣化する。こうした通信品質の劣化を避けるために、従来は携帯電話機の送信電力を増加させ通信品質を確保するようにしている。
【０００３】
【発明が解決しようとする課題】
しかしながら、データ通信の品質を確保するために携帯電話機の送信電力を増加させると消費電流が増加して種々の問題を生じることから、送信電力の増加を抑制したいという要望がある。
したがって本発明は、音声通信とデータ通信とが同時に可能なマルチコール機能を有する携帯電話機において、送信電力の増加を抑制することを目的とする。
【０００４】
【課題を解決するための手段】
このような課題を解決するために本発明は、アンテナを介して音声通信とデータ通信とが同時に可能なマルチコール機能を有する携帯電話機において、アンテナの伝送効率を低下させる障害物の検出を行う検出手段と、音声通信中のデータ通信要求の入力を判定する第１の判定手段と、データ通信中の音声通信要求の入力を判定する第２の判定手段と、第１の判定手段により音声通信中のデータ通信要求の入力が判定されると、検出手段の検出結果に応じてデータ通信の可否を制御し、第２の判定手段によりデータ通信中の音声通信要求の入力が判定されると、検出手段の検出結果に応じて音声通信の可否を制御する制御手段とを設けたものである。
この場合、イヤホンマイクを備え、検出手段は、イヤホンマイクの携帯電話機への無装着を前記障害物として検出するものである。
また、音声マイクを備え、検出手段は、音声マイクからの音声信号のレベルが所定のしきい値を越えた場合に前記障害物として検出するものである。
また、携帯電話機を利用する利用者の人体部分とこの携帯電話機間の距離を検出する距離センサを備え、検出手段は、距離センサにより検出された距離が所定値以下の場合に前記障害物として検出するものである。
【０００５】
【発明の実施の形態】
以下、本発明について図面を参照して説明する。
（第１の実施の形態）
図１は本発明に係る携帯電話機の第１の実施の形態を示すブロック図である。この携帯電話機１は、図１に示すように、イヤホンマイク２が装着可能なイヤホンマイク入力端子３と、イヤホンマイク入力端子３に対するイヤホンマイク２の装着の有無を検出するイヤホンマイク検出回路４と、携帯電話機回路部５と、アンテナ６とからなる。ここで、携帯電話機回路部５は、制御回路１１、高速データ通信を行うデータ伝送回路１２、音声信号を通信する音声伝送回路１３、無線回路１４、キーボード１５等から構成される。
【０００６】
以上のように構成された携帯電話機１において、利用者の通話要求を示すキーボード１５の操作が行われると、制御回路１１はこれを検出して音声伝送回路１３を動作状態に制御する。そして、利用者のこの携帯電話機１を用いた通話が開始されると、利用者の音声はイヤホンマイク２→イヤホンマイク入力端子３→音声伝送回路１３→無線回路１４→アンテナ６の経路で相手側へ伝達される一方、相手側からの音声はアンテナ６→無線回路１４→音声伝送回路１３→イヤホンマイク入力端子１３→イヤホンマイク２の経路で利用者へ伝達される。
【０００７】
また、利用者のデータ通信要求を示すキーボード１５の操作が行われると、制御回路１１はこれを検出してデータ伝送回路１２を動作状態に制御し、かつ相手装置へ送信するデータをデータ伝送回路１２→無線回路１４→アンテナ６の経路で相手装置側へ送信する一方、相手装置側からのデータをアンテナ６→無線回路１４→データ伝送回路１２の経路で受信し、図示しないメモリに記憶する。
このように、携帯電話機１は音声通信とデータ通信とを行うことができるとともに、異なる無線通信チャネルを介して音声及びデータの同時通信も行うことができる。
【０００８】
次に、このような通話及びデータ通信が可能な携帯電話機１の要部動作を図４のフローチャートを参照して詳細に説明する。
利用者のキーボード１５の操作に基づく通話要求またはデータ通信要求が行われると、制御回路１１はこれを検出して、前述したように音声伝送回路１３またはデータ伝送回路１２を動作状態に制御し通話またはデータ通信を行わせ、携帯電話機１の状態をステップＳ１の通信中状態に遷移させる。
【０００９】
このような通信中状態のうち、ステップＳ２の「音声であるか？」の判定がＹＥＳとなる音声通信中（通話中）にこの携帯電話機１において利用者のキーボード１５の操作に基づくデータ通信の発着信要求をステップＳ３で検出すると、制御回路１１は、イヤホンマイク２のイヤホンマイク入力端子３への装着がイヤホンマイク検出回路４により検出されたか否かをステップＳ４で判断する。
【００１０】
ここで、イヤホンマイク２のイヤホンマイク入力端子３への装着が検出され、ステップＳ４の「イヤホンマイクが挿入されているか？」の判定がＹＥＳとなると、制御回路１１はデータ伝送回路１２を制御して動作状態にしかつ無線回路１４の通話中の通信チャネルと異なる通信チャネルを介してデータ通信を開始させる。これにより、２つの通信チャネルを介してそれぞれ音声通信とデータ通信とが行われるステップＳ５のマルチコール通信中状態に遷移する。
【００１１】
一方、イヤホンマイク２のイヤホンマイク入力端子３への装着が検出されず、したがってステップＳ４の「イヤホンマイクが挿入されているか？」の判定がＮＯとなると、制御回路１１は、利用者のデータ通信要求を拒否し、ステップＳ１へ戻って通信中状態（通話中状態）を維持する。
【００１２】
即ち、利用者の通話中に利用者からのデータ通信要求があった場合、イヤホンマイク２が装着されていれば、制御回路１１は、このとき利用者はイヤホンマイク２を介して通話しているものと判断する。そして、この場合は利用者と携帯電話機１のアンテナ６間は距離的に離れアンテナ６に与える利用者の頭部等の人体部分の影響は少なく、したがってこのときデータ通信を行ってもアンテナ６の伝送効率が低下しないと判断して、利用者のデータ通信を許容する。
一方、利用者の通話中に利用者からのデータ通信要求があった場合、イヤホンマイク２が装着されていなければ、制御回路１１は、このとき利用者はイヤホンマイク２を介さずに携帯電話機１の図示しないレシーバとマイクにそれぞれ耳及び口を近づけて通話しているものと判断する。そして、この場合は利用者と携帯電話機１のアンテナ６間は距離的に近くアンテナ６に与える利用者の人体部分の影響は大で、このときデータ通信を行うとアンテナ６の伝送効率が低下するものと判断して、利用者のデータ通信を拒否する。
【００１３】
次に、ステップＳ１の通信中状態のうち、ステップＳ２の「音声であるか？」の判定がＮＯとなるデータ通信中にこの携帯電話機１において利用者のキーボード１５の操作に基づく発着信操作が行われると、ステップＳ６の「発着信か？」の判定がＹＥＳとなる。この場合、制御回路１１は、その発着信が音声発着信か否かをステップＳ７で判断し、音声発着信、即ち利用者の通話要求操作の場合はステップＳ４へ移行してイヤホンマイク２の装着の有無を判断する。
【００１４】
ここで、イヤホンマイク２のイヤホンマイク入力端子３への装着が検出され、ステップＳ４の判定がＹＥＳとなると、制御回路１１は音声伝送回路１３を動作状態に制御し、かつ無線回路１４のデータ通信中の通信チャネルと異なる通信チャネルを介して音声通信を開始させる。これにより、２つの通信チャネルを介してそれぞれデータ通信と音声通信とが行われるステップＳ５のマルチコール通信中状態に遷移する。
【００１５】
一方、イヤホンマイク２のイヤホンマイク入力端子３への装着が検出されず、したがってステップＳ４の判定がＮＯとなると、制御回路１１は、利用者の通話要求を拒否し、ステップＳ１へ戻って通信中状態（データ通信中状態）を維持する。
【００１６】
即ち、利用者のデータ通信中に利用者からの通話要求があった場合、イヤホンマイク２が装着されていれば、制御回路１１は、この通話要求に基づく通話はイヤホンマイク２を介して行われるものと判断する。そして、こうした通話の場合は利用者と携帯電話機１のアンテナ６間は距離的に離れアンテナ６に与える利用者の頭部等の人体部分の影響は少なく、したがってアンテナ６の伝送効率は低下せずこのとき行われているデータ通信への影響は無いものと判断して、利用者の通話を許容する。
一方、イヤホンマイク２が装着されていなければ、制御回路１１は、この通話要求に基づく通話はイヤホンマイク２を介さずに携帯電話機１のレシーバとマイクにそれぞれ利用者の耳及び口が近づけられて行われるものと判断する。そして、この場合は利用者と携帯電話機１のアンテナ６間は距離的に近くアンテナ６に与える利用者の人体部分の影響は大でアンテナ６の伝送効率が低下し、したがってこのとき行われているデータ通信に与える影響は大と判断して、利用者の通話要求を拒否する。
【００１７】
次に、携帯電話機１のデータ通信中に利用者から新たなデータ通信要求があり、ステップＳ７の「音声発着信か？」の判定が「Ｎ」となる場合は、制御回路１１はデータ伝送回路１２を制御し、かつ無線回路１４のデータ通信中の通信チャネルと異なる通信チャネルを介して新たなデータ通信を開始させる。これにより、２つの通信チャネルを介してそれぞれ２つのデータ通信が同時に行われるステップＳ５のマルチコール通信中状態に遷移する。即ち、制御回路１１は、利用者のデータ通信の際には、利用者の人体部分は携帯電話機１のアンテナ６と離れていると認識して、アンテナ６の伝送効率は低下しないと判断する。そして、データ通信のデータ通信中に新たなデータ通信要求があれば、このデータ通信要求を拒否せずに許容して新たな通信チャネルを介してデータ通信を行わせる。
【００１８】
このように、通話中のデータ通信要求、またはデータ通信中の通話要求が行われたときに、携帯電話機１へのイヤホンマイク２の装着の有無に応じて判定し、イヤホンマイク２が装着されていれば、利用者は携帯電話機１から離れた位置で通話し、したがってアンテナ６への利用者の人体部分の影響は少なくアンテナ６の伝送効率は低下しないと判断して前記要求を許容するようにしたものである。したがって、携帯電話機１の送信電力を増加させることなく、高速データ通信が可能になり、通信品質を確保できる。
【００１９】
また、前記要求時にイヤホンマイク２が装着されていなければ、利用者は携帯電話機１に近い位置で通話する可能性があり、したがってアンテナ６への利用者の人体部分の影響は大でアンテナ６の伝送効率は低下すると判断して前記要求を拒否するようにしたものである。したがって、この場合は、データ通信中に新たな通話が行われないことから、携帯電話機１の送信電力の増加させることなく、続行中のデータ通信の品質を確保できる。
【００２０】
（第２の実施の形態）
図２は、本携帯電話機の第２の実施の形態を示すブロック図である。図２に示す携帯電話機は、図１の携帯電話機のイヤホンマイク入力端子３及びイヤホンマイク検出回路４の代わりに音声マイク７と音声入力しきい値検出回路８とを設けたものである。
【００２１】
ここで、音声入力しきい値検出回路８は、音声マイク７からの利用者の音声が予めこの音声入力しきい値検出回路８に設定されている所定のしきい値を越えたことを検出するとその旨を制御回路１１に出力するものである。したがって、制御回路１１は、音声マイク７からの利用者の音声が所定のしきい値を越えたことが音声入力しきい値検出回路８から伝達されると、利用者が携帯電話機１を近づけて通話しているものと認識する。そして、この場合は、携帯電話機１のアンテナ６に利用者の人体部分が近づきアンテナ６の伝送効率が低下しているものと判断して、こうした通話中には利用者によるデータ通信要求を拒否する。
【００２２】
一方、音声マイク７からの利用者の音声が音声入力しきい値検出回路８のしきい値を越えず、したがって音声入力しきい値検出回路８から利用者の音声がしきい値を越えた旨の出力が行われない場合は、制御回路１１は、利用者が携帯電話機１から離れた位置で通話しているものと認識する。そして、この場合は、携帯電話機１のアンテナ６と利用者の人体部分は離れており、アンテナ６の伝送効率は低下しないものと判断して、こうした通話中には利用者によるデータ通信要求を許容する。
【００２３】
（第３の実施の形態）
図３は、本携帯電話機の第３の実施の形態を示すブロック図である。図３に示す携帯電話機は、図１の携帯電話機のイヤホンマイク入力端子３及びイヤホンマイク検出回路４の代わりに距離センサ９と距離センサ監視回路１０とを設けたものである。
【００２４】
ここで、距離センサ監視回路１０は、携帯電話機１と利用者の人体部分との間の距離を検出する距離センサ９の監視を行い、その距離が所定値以下の場合にその旨を制御回路１１に出力するものである。制御回路１１は、この場合、利用者が携帯電話機１を近づけて通話しているものと認識し、携帯電話機１のアンテナ６に利用者の人体部分が近づきアンテナ６の伝送効率が低下しているものと判断して、こうした通話中には利用者によるデータ通信要求を拒否する。
【００２５】
一方、携帯電話機１と利用者の人体部分との間の距離が所定値以上を示す監視結果が距離センサ監視回路１０から出力されると、制御回路１１は、利用者が携帯電話機１から離れた位置で通話しているものと認識する。そして、この場合は、携帯電話機１のアンテナ６と利用者の人体部分は離れており、アンテナ６の伝送効率は低下しないものと判断して、こうした通話中には利用者によるデータ通信要求を許容する。
このように本発明は、携帯電話機１のアンテナ６の伝送効率を悪化させる障害物が近隣に存在する状態での音声通話中に、高速データ通信を行うことを規制し、前記障害物が存在しない場合のみデータ通信を許容することにより、送信電力を増加させずに安定した高速データ通信を行うことを実現するものである。
【００２６】
【発明の効果】
以上説明したように本発明によれば、アンテナを介して音声通信とデータ通信とが同時に可能なマルチコール機能を有する携帯電話機において、アンテナの伝送効率を低下させる障害物の検出を行う検出手段を設け、音声通信中にデータ通信要求を入力すると、検出手段の検出結果に応じてデータ通信の可否を制御するようにしたので、アンテナ近傍の障害物に起因してアンテナの伝送効率が低下するような場合はデータ通信要求が拒否されることから、こうした場合は装置の送信電力の増加を回避できるとともに、前記障害物が検出されない場合はデータ通信が許容されることから装置の送信電力を増加させることなく高速のデータ通信が可能になる。
また、イヤホンマイクを備え、検出手段は、イヤホンマイクの携帯電話機への無装着を前記障害物として検出するようにしたので、アンテナの伝送効率の低下を招く障害物の的確な検出が行える。
また、音声マイクを備え、検出手段は、音声マイクからの音声信号のレベルが所定のしきい値を越えた場合に前記障害物として検出するようにしたので、同様にアンテナの伝送効率の低下を招く障害物の的確な検出が行える。
また、携帯電話機を利用する利用者の人体部分とこの携帯電話機間の距離を検出する距離センサを備え、検出手段は、距離センサにより検出された距離が所定値以下の場合に前記障害物として検出するようにしたので、同様にアンテナの伝送効率の低下を招く障害物の的確な検出が行える。
【図面の簡単な説明】
【図１】  本発明に係る携帯電話機の第１の実施の形態を示すブロック図である。
【図２】  上記携帯電話機の第２の実施の形態を示すブロック図である。
【図３】  上記携帯電話機の第３の実施の形態を示すブロック図である。
【図４】  上記携帯電話機の要部動作を示すフローチャートである。
【符号の説明】
１…携帯電話機、２…イヤホンマイク、３…イヤホンマイク入力端子、４…イヤホンマイク検出回路、５…携帯電話機回路部、６…アンテナ、７…音声マイク、８…音声入力しきい値検出回路、９…距離センサ、１０…距離センサ監視回路、１１…制御回路、１２…データ伝送回路、１３…音声伝送回路、１４…無線回路、１５…キーボード。
【図１】
0004106866.tif 000002
【図２】
0004106866.tif 000003
【図３】
0004106866.tif 000004
【図４】
0004106866.tif 000005